(57)【要約】  本発明の表示装置は、複数の表示部と、前記複数の表示部の少なくとも一部をまとめる機構と、前記複数の表示部の中の特定の表示部に描画を行う際に、前記特定の表示部の表示領域のうち前記機構を含む領域以外の特定領域を優先して描画を行う描画制御部と、を備える。
2013099412.tif 000002
【特許請求の範囲】
【請求項１】
複数の表示部と、
前記複数の表示部の少なくとも一部をまとめる機構と、
前記複数の表示部の中の特定の表示部に描画を行う際に、前記特定の表示部の表示領域のうち前記機構を含む領域以外の特定領域を優先して描画を行う描画制御部と、を備える表示装置。
【請求項２】
前記描画制御部は、前記特定の表示部の表示領域のうち前記特定領域以外の領域には描画を行わない、請求項１に記載の表示装置。
【請求項３】
複数の表示部と、
前記複数の表示部の中の特定の表示部の表示領域のうち、ユーザから視認可能な特定領域を判定する視認性判定部と、
前記特定の表示部に描画を行う際に、前記視認性判定部の判定結果に基づいて、前記特定の表示部の表示領域への描画を行う描画制御部と、を備える表示装置。
【請求項４】
前記複数の表示部の中の所定の表示部は、自己の表示部の所定の位置にて外来光を検知するセンサを備え、
前記視認性判定部は、前記センサの検知結果に基づいて、前記特定の表示部の前記特定領域を判定する、請求項３に記載の表示装置。
【請求項５】
前記複数の表示部の中の所定の表示部は、自己の表示部の所定の領域へのオブジェクトの接触または近接と、接触または近接した位置と、を検知するセンサを備え、
前記視認性判定部は、前記センサの検知結果に基づいて、前記特定の表示部の前記特定領域を判定する、請求項３に記載の表示装置。
【請求項６】
前記描画制御部は、前記特定の表示部の表示領域のうち前記特定領域を優先して描画を行う、請求項３から５のいずれか１項に記載の表示装置。
【請求項７】
前記描画制御部は、前記特定の表示部の表示領域のうち前記特定領域以外の領域には描画を行わない、請求項６に記載の表示装置。
【請求項８】
複数の表示部と、前記複数の表示部の少なくとも一部をまとめる機構と、を有する表示装置による表示方法であって、
前記複数の表示部の中の特定の表示部に描画を行う際に、前記特定の表示部の表示領域のうち前記機構を含む領域以外の特定領域を優先して描画を行う、表示方法。
【請求項９】
複数の表示部を有する表示装置による表示方法であって、
前記複数の表示部の中の特定の表示部の表示領域のうち、ユーザから視認可能な特定領域を判定し、
前記特定の表示部に描画を行う際に、前記判定結果に基づいて、前記特定の表示部の表示領域への描画を行う、表示方法。
【請求項１０】
複数の表示部と、前記複数の表示部の少なくとも一部をまとめる機構と、を有する表示装置に、
前記複数の表示部の中の特定の表示部に描画を行う際に、前記特定の表示部の表示領域のうち前記機構を含む領域以外の特定領域を優先して描画を行う手順を実行させるためのプログラム。
【請求項１１】
複数の表示部を有する表示装置に、
前記複数の表示部の中の特定の表示部の表示領域のうち、ユーザから視認可能な特定領域を判定する手順と、
前記特定の表示部に描画を行う際に、前記判定結果に基づいて、前記特定の表示部の表示領域への描画を行う手順と、を実行させるためのプログラム。
【発明の詳細な説明】
【技術分野】
【０００１】
本発明は、画像や文字等の情報を表示する表示装置、表示方法、プログラムに関する。
【背景技術】
【０００２】
近年、表示装置として、複数の表示部を束ねて構成し、複数の表示部の各々に情報を表示するものが提案されている（例えば、特許文献１参照）。【０００３】
なお、本明細書では、表示装置を閉じた状態で、一番上位にある表示部を最上層とし、逆方向にある表示部を下層にあると定義する。また、表示装置を開いた状態で、表示領域の全面がユーザから視認可能となる表面上に位置する表示部を最前面と定義する。
【先行技術文献】
【特許文献】
【０００４】
【特許文献１】特開２００３−５８０８１号公報
【発明の概要】
【発明が解決しようとする課題】
【０００５】
ところで、表示部に情報を描画する方法としては、図１に示すように、ユーザが表示部を見る際に想定する向き（図１では左から右）を基準として、上から下に描画を行うという方法が一般的である。これは、通常、ユーザは、表示内容を上から見始め、順次下の方を見ていくためである。【０００６】
しかし、特許文献１に開示された表示装置は、複数の表示部の一辺を束ねる構成である。そのため、ユーザは、表示部をめくる場合、複数の表示部を束ねた一辺に対向する位置にある他辺から表示部をめくることが多いと考えられる。【０００７】
そうすると、ユーザが、表示部をめくった場合、その下層に位置する表示部の表示領域の中で、表示内容を最も視認し易い領域は他辺周辺の領域となる。【０００８】
しかし、ユーザが素早く表示部をめくった場合、上述のように上から下に描画を行う方法では、その下層に位置する表示部において、ユーザが表示内容を最も視認し易い他辺周辺の領域の描画が間に合わない可能性があるという問題点がある。【０００９】
そこで、本発明の目的は、上述した課題を解決し、ユーザが表示部を素早くめくる場合にも、その下層に位置する表示部の表示内容を視認し易くすることができる表示装置、表示方法、プログラムを提供することにある。
【課題を解決するための手段】
【００１０】
本発明の第１の表示装置は、
複数の表示部と、
前記複数の表示部の少なくとも一部をまとめる機構と、
前記複数の表示部の中の特定の表示部に描画を行う際に、前記特定の表示部の表示領域のうち前記機構を含む領域以外の特定領域を優先して描画を行う描画制御部と、を備える。【００１１】
本発明の第２の表示装置は、
複数の表示部と、
前記複数の表示部の中の特定の表示部の表示領域のうち、ユーザから視認可能な特定領域を判定する視認性判定部と、
前記特定の表示部に描画を行う際に、前記視認性判定部の判定結果に基づいて、前記特定の表示部の表示領域への描画を行う描画制御部と、を備える。【００１２】
本発明の第１の表示方法は、
複数の表示部と、前記複数の表示部の少なくとも一部をまとめる機構と、を有する表示装置による表示方法であって、
前記複数の表示部の中の特定の表示部に描画を行う際に、前記特定の表示部の表示領域のうち前記機構を含む領域以外の特定領域を優先して描画を行う。【００１３】
本発明の第２の表示方法は、
複数の表示部を有する表示装置による表示方法であって、
前記複数の表示部の中の特定の表示部の表示領域のうち、ユーザから視認可能な特定領域を判定し、
前記特定の表示部に描画を行う際に、前記判定結果に基づいて、前記特定の表示部の表示領域への描画を行う。【００１４】
本発明の第１のプログラムは、
複数の表示部と、前記複数の表示部の少なくとも一部をまとめる機構と、を有する表示装置に、
前記複数の表示部の中の特定の表示部に描画を行う際に、前記特定の表示部の表示領域のうち前記機構を含む領域以外の特定領域を優先して描画を行う手順を実行させる。【００１５】
本発明の第２のプログラムは、
複数の表示部を有する表示装置に、
前記複数の表示部の中の特定の表示部の表示領域のうち、ユーザから視認可能な特定領域を判定する手順と、
前記特定の表示部に描画を行う際に、前記判定結果に基づいて、前記特定の表示部の表示領域への描画を行う手順と、を実行させる。
【発明の効果】
【００１６】
本発明によれば、ユーザが表示部を素早くめくる場合にも、その下層に位置する表示部の表示内容を視認し易くすることができるという効果が得られる。
【図面の簡単な説明】
【００１７】
【図１】関連する表示部の描画制御の例を示す図である。
【図２】本発明の第１の実施形態の表示装置の構成を示すブロック図である。
【図３】本発明の表示装置の外観構成の例を示す図である。
【図４】本発明の表示装置の外観構成の例を示す図である。
【図５】本発明の第１の実施形態の表示装置において、表示部の一辺を束ねる構成である場合の特定領域の例を示す図である。
【図６】本発明の第１の実施形態の表示装置において、表示部の一辺を束ねる構成である場合の表示部のめくり方の例を示す図である。
【図７】本発明の第１の実施形態の表示装置において、表示部の一辺を束ねる構成である場合の表示部のめくり方の例を示す図である。
【図８】本発明の第１の実施形態の表示装置において、表示部の隅の一点を束ねる構成である場合の特定領域の例を示す図である。
【図９】本発明の第１の実施形態の表示装置において、表示部の隅の一点を束ねる構成である場合の特定領域の例を示す図である。
【図１０】本発明の第１の実施形態の表示装置において、表示部の隅の一点を束ねる構成である場合の表示部のめくり方の例を示す図である。
【図１１】本発明の第１の実施形態の表示装置において、表示部の隅の一点を束ねる構成である場合の表示部のめくり方の例を示す図である。
【図１２】本発明の第１の実施形態の表示装置において、表示部の隅の一点を束ねる構成である場合の表示部のめくり方の例を示す図である。
【図１３】本発明の第２の実施形態の表示装置の構成を示すブロック図である。
【図１４】本発明の第２の実施形態の表示装置において、表示部の一辺を束ねる構成である場合の光センサの配置の例を示す図である。
【図１５】本発明の第２の実施形態の表示装置において、表示部の一辺を束ねる構成である場合の特定領域の例を示す図である。
【図１６】本発明の第２の実施形態の表示装置において、表示部の一辺を束ねる構成である場合の特定領域の例を示す図である。
【図１７】本発明の第２の実施形態の表示装置において、表示部の隅の一点を束ねる構成である場合の光センサの配置の例を示す図である。
【図１８】本発明の第２の実施形態の表示装置において、表示部の隅の一点を束ねる構成である場合の特定領域の例を示す図である。
【図１９】本発明の第２の実施形態の表示装置において、表示部の一辺を束ねる構成である場合の接触センサまたは近接センサの配置の例を示す図である。
【図２０】本発明の第２の実施形態の表示装置において、表示部の一辺を束ねる構成である場合の特定領域の例を示す図である。
【図２１】本発明の第２の実施形態の表示装置において、表示部の一辺を束ねる構成である場合の特定領域の例を示す図である。
【図２２】本発明の第２の実施形態の表示装置において、表示部の隅の一点を束ねる構成である場合の接触センサまたは近接センサの配置の例を示す図である。
【図２３】本発明の第２の実施形態の表示装置において、表示部の隅の一点を束ねる構成である場合の特定領域の例を示す図である。
【発明を実施するための形態】
【００１８】
以下に、本発明を実施するための形態について図面を参照して説明する。
（１）第１の実施形態
図２に示すように、本実施形態の表示装置１は、表示部１０−１〜１０−ｎ（ｎは２以上の自然数。以下、どの表示部であるか特定しない場合は表示部１０と称す）と、描画制御部２０と、を有している。
【００１９】
表示部１０−１〜１０−ｎは、例えば、電子ペーパーであり、互いに重ね合わされて、その一部が束ねられる。
【００２０】
図３および図４に、表示部１０−１〜１０−ｎを束ねる例を示す。なお、図３および図４はｎが３となっている。
【００２１】
図３の例では、表示部１０−１〜１０−３は、一辺（図３では左辺）が機構３０Ａにより束ねられている。また、図４の例では、表示部１０−１〜１０−３は、隅の一点（図４では左上隅の一点）が機構３０Ｂにより束ねられている。
【００２２】
描画制御部２０は、表示部１０−１〜１０−ｎの各々に画像や文字等の情報を描画する。
【００２３】
このとき、描画制御部２０は、表示部１０−１〜１０−ｎの各々の表示領域のうち、機構３０Ａまたは機構３０Ｂを含む領域を除いた特定領域を優先して描画する。なお、特定領域は、機構３０Ａまたは機構３０Ｂから所定の距離以上離れていることが好ましい。
【００２４】
例えば、機構３０Ａが表示部１０の一辺を束ねる構成（図３）である場合、描画制御部２０は、図５に示すように、機構３０Ａを含む領域を除いた領域を特定領域Ｘとし、特定領域Ｘに優先して描画を行う。なお、図５では、特定領域Ｘ内で右上隅から右下隅に向けて描画を開始しているが、描画の開始点や描画方向はこれに限定されない。また、特定領域Ｘの大きさおよび形状も図５の大きさおよび形状に限定されない。
【００２５】
この構成の場合、ユーザは、通常、図６に示すように右辺から、または、図７に示すように右上隅（または右下隅）から、表示部１０をめくると考えられる。
【００２６】
そのため、ユーザが表示部１０−１をめくった場合、その下層に位置する表示部１０−２の表示内容を最も視認し易い領域は、図６では右辺周辺の領域Ｙ、図７では右上隅周辺の領域Ｙとなる。
【００２７】
本実施形態においては、描画制御部２０は、図６および図７の領域Ｙを、図５の特定領域Ｘとして優先して描画する。そのため、ユーザが素早く表示部１０−１をめくった場合にも、表示部１０−２の表示内容を視認し易い。
【００２８】
また、機構３０Ｂが表示部１０の隅の一点を束ねる構成（図４）である場合、描画制御部２０は、図８に示すように、機構３０Ｂを含む領域を除いた領域を特定領域Ｘとし、特定領域Ｘに優先して描画を行う。なお、図８では、特定領域Ｘ内で右上隅から右下隅に向けて描画を開始しているが、描画の開始点や描画方向はこれに限定されない。また、特定領域Ｘの大きさおよび形状も図８の大きさおよび形状に限定されず、例えば、図９のようにしても良い。図９は、機構３０Ｂを含まず、かつ、機構３０Ｂから所定の距離ｘ以上離れた領域を特定領域Ｘとしたものである。
【００２９】
この構成の場合、ユーザは、通常、図１０に示すように右辺から、または、図１１に示すように右上隅（または右下隅、左下隅）から、または、図１２に示すように下辺から、表示部１０をめくると考えられる。
【００３０】
そのため、ユーザが表示部１０−１をめくった場合、その下層に位置する表示部１０−２の表示内容を最も視認し易い領域は、図１０では右辺周辺の領域Ｙ、図１１では右上隅周辺の領域Ｙ、図１２では下辺周辺の領域Ｙとなる。
【００３１】
本実施形態においては、描画制御部２０は、図１０、図１１、および図１２の領域Ｙを、図８または図９の特定領域Ｘとして優先して描画する。そのため、ユーザが素早く表示部１０−１をめくった場合にも、表示部１０−２の表示内容を視認し易い。
【００３２】
上述したように本実施形態においては、描画制御部２０は、表示部１０に描画を行う際に、その表示部１０の表示領域のうち、表示部１０を束ねる機構を含む領域を除いた特定領域を優先して描画する。
【００３３】
すなわち、描画制御部２０は、表示部１０の表示領域のうち、ユーザが表示部１０をめくった場合に視認し易い領域を優先して描画する。
【００３４】
そのため、ユーザが素早く表示部１０をめくった場合にも、その下層に位置する表示部１０の表示内容を視認し易いという効果が得られる。
【００３５】
なお、本実施形態においては、描画制御部２０は、表示部１０−１〜１０−ｎの全てに対し、上述した描画制御を行わないでも良い。例えば、図３において、表示部１０−１〜１０−３の挿抜が不可である場合、表示部１０−１は常に最上層となり、下層になることはない。そのため、表示部１０−１については、図１に示した一般的な描画制御を行っても良い。
【００３６】
また、ユーザが、所望の情報を表示している表示部１０を探すために、表示部１０を素早くめくっている場合、表示部１０の表示領域のうち視認し易い領域（すなわち、本実施形態の特定領域）を見るだけで、表示内容を判断できる可能性がある。その場合、表示部１０の表示領域全てに描画を行う必要はなく、特定領域にのみ描画を行えば十分である。
【００３７】
そこで、描画制御部２０は、表示部１０の表示領域のうち特定領域にのみ描画を行い、その他の領域は描画しないこととしても良い。ただし、この描画制御を行う対象は、最上層の表示部１０の下層や最前面に位置する表示部１０の下層に位置する表示部１０のみであり、最上層の表示部１０や最前面に位置する表示部１０については表示領域全てに描画を行う。
【００３８】
なお、表示部１０が最前面に位置するか否かを判断する方法は後述する。
（２）第２の実施形態
図１３は、本発明の第２の実施形態の表示装置１の構成を示すブロック図である。
図１３に示すように、本実施形態の表示装置１は、第１の実施形態と比較して、表示部１０−１〜１０−ｎの各々にセンサ１１を設けた点と、視認性判定部４０を設けた点と、が異なる。
【００３９】
センサ１１は、外来光を検知する光センサで構成する。または、センサ１１は、ユーザの指やペン等のオブジェクトの接触もしくは近接と、接触もしくは近接した位置と、を検知する接触センサもしくは近接センサで構成する。
【００４０】
視認性判定部４０は、センサ１１の検知結果に基づいて、表示部１０−１〜１０−ｎの各々の表示領域のうちユーザから視認可能な特定領域を判定する。
【００４１】
なお、表示部１０−１〜１０−ｎは、第１の実施形態と同様に、例えば、図３または図４のように、束ねられている。
【００４２】
ここで、センサ１１および視認性判定部４０について詳細に説明する。
【００４３】
まず、センサ１１を光センサで構成する場合を考える。
【００４４】
例えば、機構３０Ａが表示部１０の一辺を束ねる構成（図３）である場合、表示部１０には、図１４に示すように、センサ１１−１〜１１−７を配置する。この場合、視認性判定部４０は、センサ１１−１〜１１−７のうち外来光を検知したセンサ１１の位置を基に、ユーザから視認可能な特定領域Ｘを判定する。
【００４５】
図１５に示すように、表示部１０−２において、センサ１１−３，１１−４，１１−７が外来光を検知したとする。この場合、ユーザは、右辺から表示部１０−１をめくったと考えられる。
【００４６】
そこで、視認性判定部４０は、表示部１０−２の表示領域のうちセンサ１１−３，１１−４，１１−７を含む領域を、ユーザから視認可能な特定領域Ｘと判定する。そして、描画制御部２０は、特定領域Ｘに優先して描画を行う。なお、特定領域Ｘ内での描画の開始点や描画方向は特に限定はない。また、特定領域Ｘの大きさおよび形状も特に限定はない。
【００４７】
また、図１６に示すように、表示部１０−２において、センサ１１−３が外来光を検知したとする。この場合、ユーザは、右上隅から表示部１０−１をめくったと考えられる。
【００４８】
そこで、視認性判定部４０は、表示部１０−２の表示領域のうちセンサ１１−３を含む領域を、ユーザから視認可能な特定領域Ｘと判定する。そして、描画制御部２０は、特定領域Ｘに優先して描画を行う。なお、特定領域Ｘ内での描画の開始点や描画方向は特に限定はない。また、特定領域Ｘの大きさおよび形状も特に限定はない。
【００４９】
また、機構３０Ｂが表示部１０の隅の一点を束ねる構成（図４）である場合も、表示部１０には、図１７に示すように、図１４と同様に、センサ１１−１〜１１−７を配置する。この場合、視認性判定部４０は、センサ１１−１〜１１−７のうち外来光を検知したセンサ１１の位置を基に、ユーザから視認可能な特定領域Ｘを判断する。
【００５０】
図１８に示すように、表示部１０−２において、センサ１１−５，１１−６，１１−７が外来光を検知したとする。この場合、ユーザは、下辺から表示部１０−１をめくったと考えられる。
【００５１】
そこで、視認性判定部４０は、表示部１０−２の表示領域のうちセンサ１１−５，１１−６，１１−７を含む領域を、ユーザから視認可能な特定領域Ｘと判定する。そして、描画制御部２０は、特定領域Ｘに優先して描画を行う。なお、特定領域Ｘ内での描画の開始点や描画方向は特に限定はない。また、特定領域Ｘの大きさおよび形状も特に限定はない。
【００５２】
なお、図１７の構成において、ユーザが右辺や右上隅から表示部１０−１をめくった場合には、図１４の構成と同様に、特定領域Ｘを判定すれば良い。また、図１７の構成において、左辺の中央付近にセンサ１１を配置しても良い。こうすることで、ユーザが左辺から表示部１０−１をめくった場合にも対応することができ、左辺周辺を特定領域Ｘと判定することができる。
【００５３】
次に、センサ１１を接触センサまたは近接センサで構成する場合を考える。
【００５４】
例えば、機構３０Ａが表示部１０の一辺を束ねる構成（図３）である場合、表示部１０には、図１９に示すように、機構３０Ａを設けた左辺以外の右辺、上辺、下辺への接触または近接を検知可能なようにセンサ１１を配置する。また、視認性判定部４０は、センサ１１が接触または近接を検知した位置を基に、ユーザから視認可能な特定領域Ｘを判定する。
【００５５】
図２０に示すように、表示部１０−１，１０−２のセンサ１１が共に、右辺の接触または近接を検知している状態から、表示部１０−１，１０−２の一方のセンサ１１が右辺の接触または近接を検知しなくなる状態に遷移したとする。この場合、ユーザは、右辺から表示部１０−１をめくったと考えられる。
【００５６】
そこで、視認性判定部４０は、表示部１０−２の表示領域のうち右辺周辺の領域を、ユーザから視認可能な特定領域Ｘと判定する。そして、描画制御部２０は、特定領域Ｘに優先して描画を行う。なお、特定領域Ｘ内での描画の開始点や描画方向は特に限定はない。また、特定領域Ｘの大きさおよび形状も特に限定はない。
【００５７】
また、図２１に示すように、表示部１０−１，１０−２のセンサ１１が共に、右上隅付近の接触または近接を検知している状態から、表示部１０−１，１０−２の一方のセンサ１１が右上隅付近の接触または近接を検知しなくなる状態に遷移したとする。この場合、ユーザは、右上隅付近から表示部１０−１をめくったと考えられる。
【００５８】
そこで、視認性判定部４０は、表示部１０−２の表示領域のうち右上隅周辺の領域を、ユーザから視認可能な特定領域Ｘと判定する。そして、描画制御部２０は、特定領域Ｘに優先して描画を行う。なお、特定領域Ｘ内での描画の開始点や描画方向は特に限定はない。また、特定領域Ｘの大きさおよび形状も特に限定はない。
【００５９】
また、機構３０Ｂが表示部１０の隅の一点を束ねる構成（図４）である場合も、表示部１０には、図２２に示すように、図１９と同様に、右辺、上辺、下辺への接触または近接を検知可能なようにセンサ１１を配置する。また、視認性判定部４０は、センサ１１が接触または近接を検知した位置を基に、ユーザから視認可能な特定領域Ｘを判定する。
【００６０】
図２３に示すように、表示部１０−１，１０−２のセンサ１１が共に、下辺の接触または近接を検知している状態から、表示部１０−１，１０−２の一方のセンサ１１が下辺の接触または近接を検知しなくなる状態に遷移したとする。この場合、ユーザは、下辺から表示部１０−１をめくったと考えられる。
【００６１】
そこで、視認性判定部４０は、表示部１０−２の表示領域のうち下辺周辺の領域を、ユーザから視認可能な特定領域Ｘと判定する。そして、描画制御部２０は、特定領域Ｘに優先して描画を行う。なお、特定領域Ｘ内での描画の開始点や描画方向は特に限定はない。また、特定領域Ｘの大きさおよび形状も特に限定はない。
【００６２】
なお、図２２の構成において、ユーザが右辺や右上隅から表示部１０−１をめくった場合には、図１９の構成と同様に、特定領域Ｘを判定すれば良い。また、図２２の構成において、左辺への接触または近接を検知可能なようにセンサ１１を配置しても良い。こうすることで、ユーザが左辺から表示部１０−１をめくった場合にも対応することができ、左辺周辺を特定領域Ｘと判定することができる。
【００６３】
上述したように本実施形態においては、視認性判定部４０は、表示部１０の表示領域のうちユーザから視認可能な特定領域を判定し、描画制御部２０は、表示部１０に描画を行う際に、その表示部１０に対する視認性判定部４０の判定結果に基づき、その表示部１０に描画を行う。
【００６４】
そのため、表示部１０の表示領域のうちユーザから視認可能な特定領域を優先して描画することが可能である。
【００６５】
したがって、ユーザが素早く表示部１０をめくった場合にも、その下層に位置する表示部１０の表示内容を視認し易いという効果が得られる。
【００６６】
なお、本実施形態においては、描画制御部２０は、表示部１０−１〜１０−ｎの全てに対し、上述した描画制御を行わないでも良い。例えば、図３において、表示部１０−１〜１０−３の挿抜が不可である場合、表示部１０−１は常に最上層となり、下層になることはない。そのため、表示部１０−１については、図１に示した一般的な描画制御を行っても良い。
【００６７】
また、ユーザが、所望の情報を表示している表示部１０を探すために、表示部１０を素早くめくっている場合、表示部１０の表示領域のうち視認可能な領域（すなわち、本実施形態の特定領域）を見るだけで、表示内容を判断できる可能性がある。その場合、表示部１０の表示領域全てに描画を行う必要はなく、特定領域にのみ描画を行えば十分である。
【００６８】
そこで、描画制御部２０は、表示部１０の表示領域のうち特定領域にのみ描画を行い、その他の領域は描画しないこととしても良い。ただし、この描画制御を行う対象は、最上層の表示部１０の下層や最前面に位置する表示部１０の下層に位置する表示部１０のみであり、最上層の表示部１０や最前面に位置する表示部１０については表示領域全てに描画を行う。
【００６９】
なお、表示部１０が最前面に位置するか否かを判断する方法は、例えば、図１４および図１７のように光センサであるセンサ１１−１〜１１−７を配置し、センサ１１−１〜１１−７の全てで外来光を検知したか否かで判断することができる。
【００７０】
以上、実施形態を参照して本発明を説明したが、本発明は上記実施形態に限定されるものではない。本発明の構成や詳細には、本発明の範囲内で当業者が理解し得る様々な変更をすることができる。
【００７１】
例えば、上記第１および第２の実施形態において、特定領域の大きさおよび形状や、特定領域内での描画の開始点および描画方向は一例であり、本発明はこれに限定されない。
【００７２】
また、上記第２の実施形態において、表示部１０において、センサ１１を光センサとする場合のセンサ１１の個数および配置位置や、センサ１１を接触センサまたは近接センサとする場合のセンサ１１の検知可能な領域は一例であり、本発明はこれに限定されない。
【００７３】
また、上記第２の実施形態において、全ての表示部１０−１〜１０−ｎにセンサ１１を設けたが、本発明はこれに限定されない。
【００７４】
例えば、図３において、表示部１０−１〜１０−３の挿抜が不可であり、表示部１０−１について図１に示した一般的な描画制御を行う場合、センサ１１を光センサで構成する場合には、表示部１０−１にセンサ１１を設ける必要はない。また、ユーザが複数の表示部１０（表示部１０−１〜１０−５とする）を素早くめくった場合、これに続いて、その下層に位置する表示部１０−６も同様に素早くめくられると考えられる。また、このとき、表示部１０−１〜１０−５を右辺からめくった場合、表示部１０−６も同様に右辺からめくられる可能性が高いと考えられる。そうすると、表示部１０−６の上層に位置する表示部１０に設けたセンサ１１の検知結果だけで、表示部１０−６の右辺周辺を、ユーザから視認可能な特定領域と判定することができる。よって、表示部１０−６にセンサ１１を設ける必要はない。ただし、この描画制御は、表示部１０を素早くめくることが前提となる。表示部１０を素早くめくっているか否かは、表示部１０のめくり速度が所定値以上であること、特定領域の大きさが所定値以下であること等で判断できる。なお、上述した、表示部１０の表示領域のうち特定領域にのみ描画を行う描画制御は、表示部１０を素早くめくっている場合にのみ行うこととしても良い。
【００７５】
また、上記第２の実施形態において、センサ１１の検知結果を基に特定領域を判定する例を述べたが、この判定方法は一例であり、本発明はこれに限定されない。
【００７６】
また、本発明の表示装置１にて行われる方法は、コンピュータに実行させるためのプログラムに適用してもよい。また、そのプログラムを記憶媒体に格納することも可能であり、ネットワークを介して外部に提供することも可能である。
【００７７】
本出願は、２０１１年１２月２８日に出願された日本出願特願２０１１−２８８９２９を基礎とする優先権を主張し、その開示の全てをここに取り込む。
【図１】
2013099412.tif 000003
【図２】
2013099412.tif 000004
【図３】
2013099412.tif 000005
【図４】
2013099412.tif 000006
【図５】
2013099412.tif 000007
【図６】
2013099412.tif 000008
【図７】
2013099412.tif 000009
【図８】
2013099412.tif 000010
【図９】
2013099412.tif 000011
【図１０】
2013099412.tif 000012
【図１１】
2013099412.tif 000013
【図１２】
2013099412.tif 000014
【図１３】
2013099412.tif 000015
【図１４】
2013099412.tif 000016
【図１５】
2013099412.tif 000017
【図１６】
2013099412.tif 000018
【図１７】
2013099412.tif 000019
【図１８】
2013099412.tif 000020
【図１９】
2013099412.tif 000021
【図２０】
2013099412.tif 000022
【図２１】
2013099412.tif 000023
【図２２】
2013099412.tif 000024
【図２３】
2013099412.tif 000025
【国際調査報告】
2013099412.tif 000026
2013099412.tif 000027
2013099412.tif 000028
2013099412.tif 000029